【事件の表示】
　特願２００３−　８５１２０「インクジェットプリンタ」拒絶査定不服審判事件〔平成１６年１１月１１日出願公開、特開２００４−３１４３０４〕について、次のとおり審決する。
【結　論】
　本件審判の請求は、成り立たない。
【理　由】
１　手続の経緯・本願発明
（１）手続の経緯
　本願は、平成１５年３月２６日（優先権主張平成１４年３月２７日、平成１５年２月２８日）の出願であって、平成２１年３月１６日及び同年６月１５日に手続補正がなされ、同年１０月５日付けで拒絶査定がなされ、これに対して、平成２２年１月１３日に拒絶査定不服審判が請求されたものである。
　
（２）本願発明
　本願の請求項１ないし８に係る発明は、平成２１年６月１５日付け手続補正によって補正された明細書及び図面の記載からみて、その特許請求の範囲の請求項１ないし８に記載された事項によりそれぞれ特定されるとおりのものであると認められるところ、請求項１及び２に係る発明（以下「本願発明１、２」という。）はそれぞれ次のものである。（下線は審決で付した。以下同じ。）
　
「【請求項１】
　活性光線の被照射により硬化するインクを記録媒体に向けて吐出するヘッドと、
　インク吐出時における前記記録媒体に対する前記ヘッドの相対移動方向の後ろ側に配置されるとともに、前記記録媒体に対して前記ヘッドが配置される側に配置され、活性光線を発する活性光線源と、
　前記ヘッドによって吐出されてから前記記録媒体に着弾するまでのインク滴の弾道へ、前記活性光線源から発した活性光線が直接的又は間接的に入射することを遮蔽する遮蔽部材と、を備え、
　前記遮蔽部材は、
　前記活性光線源と前記ヘッドとの間に配置されるとともに、インク滴が吐出される前記ヘッドの面よりも前記記録媒体側に延出した第一延出部と、
　前記第一延出部の延出方向に交わる方向であって
前記弾道に近づく方向に前記第一延出部から
　前記第二延出部はインク滴が吐出される前記ヘッドの面から前記記録媒体側に離れていることを特徴とするインクジェットプリンタ。
　【請求項２】
　活性光線の被照射により硬化するインクを記録媒体に向けて吐出するヘッドと、
　インク吐出時における前記記録媒体に対する前記ヘッドの相対移動方向の後ろ側に配置されるとともに、前記記録媒体に対して前記ヘッドが配置される側に配置され、活性光線を発する活性光線源と、
　前記ヘッドによって吐出されてから前記記録媒体に着弾するまでのインク滴の弾道へ、前記活性光線源から発した活性光線が直接的又は間接的に入射することを遮蔽する遮蔽部材と、を備え、
　前記遮蔽部材は、
　前記活性光線源と前記ヘッドとの間に配置されるとともに、インク滴が吐出される前記ヘッドの面よりも前記記録媒体側に延出した第一延出部と、
　前記第一延出部の延出方向に交わる方向であって
前記第一延出部から前記ヘッドと前記記録媒体との間の空間へ
　前記第二延出部はインク滴が吐出される前記ヘッドの面から前記記録媒体側に離れていることを特徴とするインクジェットプリンタ。」
　
２　刊行物の記載事項
　原査定の拒絶の理由に引用された「本願の優先日前に頒布された刊行物である特開昭６０−１３２７６７号公報（以下「引用例」という。）」には、図とともに次の事項が記載されている。
（１）「２．特許請求の範囲
　(1)　
紫外線硬化型のインクを小滴として噴射して記録紙にドツトマトリクスの文字などを印字するインクジエツトヘツドと、上記記録紙の印字された部分に紫外線を照射する紫外線ランプとで構成し
　(2)　
上記紫外線ランプは、上記記録紙のほぼ全幅を照射するに十分な長さを有し、上記ヘツドに対し上記記録紙の排出側で固定的に設置されている
　(3)　
上記ヘツドは、多数のインクノズルが上記記録紙の幅方向に配列したラインプリント方式のものであ
　(4)　上記ヘツドは、上記記録紙の幅方向に移動するシリアルプリント方式のものである特許請求の範囲第２項に記録のインクジエツトプリンタ。
　(5)　
上記ヘツドは上記記録紙の幅方向に移動するシリアルプリント方式のものであり、上記紫外線ランプは上記ヘツドの両側部の少なくとも一方で上記ヘツドと一緒に移動するように備え付けたものであ
　
（２）「
発明の技術分野
　本発明は、
記録紙に向けてインクを小滴として噴射することにより当該記録紙にドツトマトリクスで文字などを形成するインクジエツトプリンタ
　
先行技術の問題点
　従来において、特公昭５３−１２１３８号公報または特公昭５３−４５６９８号公報に開示された如きインクジエツトプリンタがある。かかる公知のインクジエツトプリンタは、
ノズル
を有する室の中にインクが満たされ、このインク室はその壁の一部が
ピエゾ効果を有する板を介して変形されるようになつてい
パルスの印加により電気機械変換手段が作動して内容積が減少することによりインクの一部がノズル又はオリフイスからインク滴として記録紙に向けて噴射され
非印字時には、インク室内の静圧力とノズル
におけるインクの表面張力とによりインクが平衡状態を保つ
非印字時にノズル
においてインクが外気と直接にさらされることになり、非印字状態が永く継続するとノズル
でインクが固まり、目づまりを起こし易かつた
また、
印字後に直ぐに紙面に触れるとインクをひきずり紙面が汚れてしまうし、目づまりを防止することを重視してインク特性を決定すると、上記傾向が一層増長される
　発明の目的
　本発明の
目的は、インクの目づまりを生じない信頼性の高いインクジエツトプリンタを提供する
　本発明の
他の目的は、印字直後に紙面に手を触れても紙面のインク汚れを生じないインクジエツトプリンタを提供すること
　
（３）「発明の特徴点
　本発明によるインクジエツトプリンタの特徴は
インクジエツトヘツドが噴射するインクとして紫外線硬化型インクを使用し、記録紙にこのインクを噴射付着させた後で、紫外線を照射してこのインクを乾燥定着させ
　
（４）「実施例
　第１図において、２本のガイド軸１，２が支持板３に固着してある。キヤリア４はガイド軸１，２によつて摺動自在に受けられており、
前面に縦方向に複数のノズル
を有するインクジエツトヘツド５がキヤリア４上面に搭載されている
ヘツド５の両側部には１対の光源ボツクス８，８がキヤリア４上に設置され、その内部に紫外線ランプ９，９が挿置されている
プラテン１０
　キヤリア４が図示しないスペーシング機構を介して往復移動する間に、ヘツド５に選択的にパルスが印加され、その前面のノズルよりインク１２が選択的に小滴として噴射され、記録紙１１にドツトマトリクスの文字などが適宜に形成される。
　ところでインク１２は紫外線硬化型インクであり、反応効率、反応速度または粘度などを考慮して、主成分となる光重合性プレポリマ−および光重合性モノマ−、粘度を調整する反応性希釈剤、反応を開始させる補助剤、反応性感度を増大する増感剤、保存性を良くする安定剤、着色剤などが適宜の比率で混ぜ合わせてある。光重合性プレポリマ−としてはポリエステルアクリレ−ト，エポキシアクリレ−ト，ポリウレタンアクリレ−トなどが、光重合性モノマ−としては１．６−ヘキサンジオ−ルジアクリレ−ト，ジエチレングルコ−ルジアクリレ−ト，ネオペンチルグリコールジアクリレ−トなどが、反応性希釈剤として２−エチルヘキシルアクリレ−ト，２−ヒドロキシプロピルアクリレ−トなどが、補助剤としてはペンゾフエノン，アセトフエノンなどが、増感剤としては脂肪族アミン，ナトリウムジエチルチオホスフエ−トなどが、安定剤としては第４級アンモニウムクロライド，ジエチルヒドロキシアミンなどがそれぞれ適当である。着色剤としては一般の染料や顔料が使用できる。
　
噴射によつて記録紙１１に付着したインク１２は、キヤリア４の移動中に紫外線ランプ９，９からの光を受けて直ちに反応乾燥し定着され
ヘツド５（キヤリア４）が右方へ移動するときは左側のランプ９によつて、またヘツド５（キヤリア４）が左方へ移動するときは右側のランプ９によつて定着され
　
（５）「
他の実施例
　第１図示の実施例は、ヘツド５が
往復移動しかつ双方向印字を行なうもの
プラテン
ヘツド５から噴射されて記録紙１１に付着したインク１２は、ペーパ−トラクタ
記録紙１１が改行され、印字部がランプ９と対向する位置でインク１２の乾燥定着が行なわれ
ヘツド５は記録紙１１の幅方向に多数のノズルが備わつた固定式のものとする
　
（６）「
発明の効果
　本発明のインクジエツトプリンタによれば、紫外線硬化型インクを使用し、ヘツドから噴射されて記録紙に付着したインクが紫外線照射により乾燥定着するようにしたから、
インクが自然乾燥し難くく、したがつて非印字状態が永く継続してもヘツドのノズルが目づまりを起こすことがない。また紫外線ランプを通過した部分はほぼ完全にインクが乾燥定着するから、紙面を直ぐに手で触つても紙面がインクで汚れることもない
　
（７）第１図及び第２図から、次のアないしエのことが見て取れる。
　ア　記録紙１１を間に挟んで、一方側にはプラテン１０，１０ａが配置され、他方側には紫外線ランプ９，９ａを納めた光源ボツクス８，８ａ及びインク１２を噴射するインクジェットヘッド５が配置されていること。
　
　イ　インクジェットヘッド５から噴射されたインク１２の小滴の弾道はほぼ直線状であること。
　
　ウ　インクジェットヘッド５から噴射されて記録紙１１に付着するまでのインク１２の小滴の弾道（上記イ参照。）と紫外線ランプ９，９ａとを結ぶ全ての線分は、光源ボツクス８，８ａのインクジェットヘッド５側の側壁と交差すること。
　
　エ　光源ボツクス８，８ａのインクジェットヘッド５側及びその反対側の両側壁の記録紙１１側先端と、インクジェットヘッド５のインク１２を噴射する噴射面とを比較すると、光源ボツクス８，８ａの両側壁の上記先端の方がインクジェットヘッド５の上記噴射面よりも記録紙１１に近いこと。
　
（８）上記（１）ないし（７）からみて、引用例には、
「ノズルを有し、その壁の一部がピエゾ効果を有する板を介して変形するようになっている室の中にインクが満たされたインク室を、パルスの印加により電気機械変換手段が作動してその内容積を減少させることにより、インクの一部を前記ノズルからインク滴として記録紙に向けて噴射して、当該記録紙にドットマトリクスで文字などを形成するインクジェットプリンタにおいて、
　非印字時には、前記インク室内の静圧力と前記ノズルにおけるインクの表面張力とによりインクが平衡状態を保ち、前記ノズルにおいてインクが外気と直接にさらされることになり、非印字状態が永く継続すると前記ノズルでインクが固まり目づまりを起こし易く、また、印字後に直ぐに紙面に触れるとインクをひきずり紙面を汚してしまい、目づまりを防止することを重視してインク特性を決定するとその傾向が一層増長されるので、
　インクジェットヘッドが噴射するインクとして紫外線硬化型インクを使用し、記録紙にこのインクを噴射付着させた後で、紫外線を照射してこのインクを乾燥定着させるようにして、インクの目づまりを生じないようにし、かつ、印字直後に紙面に手を触れても紙面のインク汚れを生じないようにしたインクジェットプリンタであって、
　紫外線硬化型のインクを小滴として噴射して記録紙にドットマトリクスの文字などを印字するインクジェットヘッドと、前記記録紙の印字された部分に紫外線を照射する紫外線ランプと、内部に前記紫外線ランプが挿置されている光源ボックスと、プラテンとで構成し、
　前記記録紙を間に挟んで、一方側には前記プラテンが配置され、他方側には前記紫外線ランプ、前記光源ボックス及び前記インクジェットヘッドが配置されており、
　前記インクジェットヘッドから噴射されたインク滴の弾道はほぼ直線状であり、
　前記インクジェットヘッドから噴射されて前記記録紙に付着するまでのインク滴の前記弾道と前記紫外線ランプとを結ぶ全ての線分は、前記光源ボックスのインクジェットヘッド側の側壁と交差しており、
　前記光源ボックスのインクジェットヘッド側及びその反対側の両側壁の記録紙側先端と、前記インクジェットヘッドのインクを噴射する噴射面とを比較すると、前記光源ボックスの両側壁の前記先端の方が前記インクジェットヘッドの前記噴射面よりも前記記録紙に近くなっており、
　前記インクジェットヘッドがその前面に縦方向に複数のノズルを有するものであり、該インクジェットヘッドを搭載したキャリアを備え、該キャリア及び前記インクジェットヘッドが前記記録紙の幅方向に往復移動しかつ双方向印字を行なうシリアルプリント方式のものである場合には、前記紫外線ランプ及び該紫外線ランプを内部に挿置した光源ボックスは前記インクジェットヘッドの両側部で前記インクジェットヘッドと一緒に移動するように前記キャリアに備え付けられており、噴射によって前記記録紙に付着したインクは、前記インクジェットヘッド及びキャリアが右方へ移動するときは左側の前記紫外線ランプによって、また前記インクジェットヘッド及びキャリアが左方へ移動するときは右側の前記紫外線ランプによって、前記キャリアの移動中に前記紫外線ランプからの光を受けて直ちに反応乾燥し定着されるようになされ、
　また、前記紫外線ランプが前記記録紙のほぼ全幅を照射するに十分な長さを有し、前記インクジェットヘッドに対し前記記録紙の排出側で固定的に設置され、前記インクジェットヘッドが、多数のインクノズルが前記記録紙の幅方向に配列したラインプリント方式のものである場合には、前記インクジェットヘッドから噴射されて前記記録紙に付着したインクは、ペーパ−トラクタなどにより前記記録紙が改行され、印字部が前記紫外線ランプと対向する位置でインクの乾燥定着が行なわれるようになされ、
　インクが自然乾燥し難く、したがって非印字状態が永く継続してもインクジェットヘッドのノズルが目づまりを起こすことがなく、また、紫外線ランプを通過した部分はほぼ完全にインクが乾燥定着するから、紙面を直ぐに手で触っても紙面がインクで汚れることもないようにしたインクジェットプリンタ。」の発明（以下「引用発明」という。）が記載されているものと認められる。
　
４　本願発明１について
（１）対比
　本願発明１と引用発明とを対比する。
　ア　引用発明の「インクジェットプリンタ」、「紫外線」、「紫外線硬化型のインク」、「記録紙」、「噴射する」、「インクジェットヘッド」、「紫外線を照射する紫外線ランプ」、「『前記インクジェットヘッド及びキャリアが右方へ移動するときは左側』、『前記インクジェットヘッド及びキャリアが左方へ移動するときは右側』及び『前記インクジェットヘッドが、多数のインクノズルが前記記録紙の幅方向に配列したラインプリント方式のものである場合には、前記インクジェットヘッドから噴射されて前記記録紙に付着したインクは、ペーパ−トラクタなどにより前記記録紙が改行され、印字部が前記紫外線ランプと対向する位置でインクの乾燥定着が行なわれる』ときは『前記インクジェットヘッドに対し前記記録紙の排出側』」、「前記記録紙を間に挟んで、一方側には前記プラテンが配置され、他方側には前記紫外線ランプ、前記光源ボックス及び前記インクジェットヘッドが配置され」及び「前記インクジェットヘッドから噴射されて前記記録紙に付着するまでのインク滴の前記弾道」は、それぞれ、本願発明１の「インクジェットプリンタ」、「活性光線」、「活性光線の被照射により硬化するインク」、「記録媒体」、「吐出する」、「ヘッド」、「活性光線を発する活性光線源」、「インク吐出時における前記記録媒体に対する前記ヘッドの相対移動方向の後ろ側」、「前記記録媒体に対して前記ヘッドが配置される側に配置され、活性光線を発する活性光線源」及び「前記ヘッドによって吐出されてから前記記録媒体に着弾するまでのインク滴の弾道」に相当する。
　
　イ　引用発明の「インクジェットプリンタ」は、非印字状態が永く継続するとノズルでインクが固まり目づまりを起こし易かったので、インクジェットヘッドが噴射するインクとして紫外線硬化型インクを使用し、記録紙にこのインクを噴射付着させた後で、紫外線を照射してこのインクを乾燥定着させるようにして、インクの目づまりを生じないようにしたものであり、紫外線硬化型のインクを小滴として噴射して記録紙にドットマトリクスの文字などを印字するインクジェットヘッドと、前記記録紙の印字された部分に紫外線を照射する紫外線ランプと、内部に前記紫外線ランプが挿置されている光源ボックスと、プラテンとで構成し、前記記録紙を間に挟んで、一方側には前記プラテンが配置され、他方側には前記紫外線ランプ、前記光源ボックス及び前記インクジェットヘッドが配置されており、前記インクジェットヘッドから噴射されて前記記録紙に付着するまでのインク滴の弾道と前記紫外線ランプとを結ぶ全ての線分は、前記光源ボックスのインクジェットヘッド側の側壁と交差しており、前記記録紙に付着したインクは、シリアルプリント方式の場合は、前記インクジェットヘッド及びキャリアが右方へ移動するときは左側の前記紫外線ランプによって、また前記インクジェットヘッド及びキャリアが左方へ移動するときは右側の前記紫外線ランプによって、前記キャリアの移動中に前記紫外線ランプからの光を受けて直ちに反応乾燥し定着され、また、ラインプリント方式の場合は、ペーパ−トラクタなどにより前記記録紙が改行され、印字部が前記紫外線ランプと対向する位置でインクの乾燥定着が行なわれ、非印字状態が永く継続してもインクジェットヘッドのノズルが目づまりを起こすことがないようにしたものであるから、引用発明の「前記光源ボックスのインクジェットヘッド側の側壁」は、紫外線ランプからの直接来た紫外線だろうが光源ボックス内で反射して間接的に来た紫外線だろうが遮蔽するものであることが当業者に自明である。
　そうすると、引用発明の「前記光源ボックスのインクジェットヘッド側の側壁」は、本願発明１の「前記ヘッドによって吐出されてから前記記録媒体に着弾するまでのインク滴の弾道へ、前記活性光線源から発した活性光線が直接的又は間接的に入射することを遮蔽する遮蔽部材」に相当するといえ、引用発明において、「前記光源ボックスのインクジェットヘッド側及びその反対側の両側壁の記録紙側先端と、前記インクジェットヘッドのインクを噴射する噴射面とを比較すると、前記光源ボックスの両側壁の前記先端の方が前記インクジェットヘッドの前記噴射面よりも前記記録紙に近くなって」いることから、引用発明の「遮蔽部材（光源ボックスのインクジェットヘッド側の側壁）」と本願発明１の「遮蔽部材」とは、「前記活性光線源と前記ヘッドとの間に配置されるとともに、インク滴が吐出される前記ヘッドの面よりも前記記録媒体側に延出した第一延出部を具備」する点で一致するといえる。
　
　ウ　上記ア及びイからみて、本願発明１と引用発明とは、
「活性光線の被照射により硬化するインクを記録媒体に向けて吐出するヘッドと、
　インク吐出時における前記記録媒体に対する前記ヘッドの相対移動方向の後ろ側に配置されるとともに、前記記録媒体に対して前記ヘッドが配置される側に配置され、活性光線を発する活性光線源と、
　前記ヘッドによって吐出されてから前記記録媒体に着弾するまでのインク滴の弾道へ、前記活性光線源から発した活性光線が直接的又は間接的に入射することを遮蔽する遮蔽部材と、を備え、
　前記遮蔽部材は、
　前記活性光線源と前記ヘッドとの間に配置されるとともに、インク滴が吐出される前記ヘッドの面よりも前記記録媒体側に延出した第一延出部を具備しているインクジェットプリンタ。」である点で一致し、次の点で相違する。
　
相違点１：
　前記遮蔽部材が、本願発明１では、「前記第一延出部の延出方向に交わる方向であって前記弾道に近づく方向に前記第一延出部から延出する第二延出部を具備し、前記第二延出部はインク滴が吐出される前記ヘッドの面から前記記録媒体側に離れている」のに対して、引用発明では、前記第一延出部の延出方向に交わる方向に延出する部分はない点。
　
（２）判断
　上記相違点１について検討する。
　ア　紫外線ランプ及び紫外線照射器具本体を備え、前記紫外線照射器具本体は、前面開口した箱形であり、内に前記紫外線ランプを配設し、その開口縁に被照射物の搬送方向外側に向かって遮光用袖部が突設され、紫外線の漏出を防止した、搬送されて来た被照射物に紫外線を照射する紫外線照射器具は、本願の優先日前に周知である（以下「周知技術」という。例．原査定で引用された実願昭６１−１４６３９３号（実開昭６３−５３７３４号）のマイクロフィルム（４頁４〜１８行、第１図及び第２図の記載、特に「遮光用袖部１２」参照。）、同じく原査定で引用された実願昭４８−２６０８６号（実開昭４９−１２８３０４号）のマイクロフィルム（「被印刷体（７）」が「被照射物」に、「乾燥装置」が「搬送されて来た被照射物に紫外線を照射する紫外線照射器具」に、「超高圧水銀ランプ（１）」が「紫外線ランプ」に、「遮へい板（４）」が「前面開口した箱形であり、内に前記紫外線ランプを配設し、その開口縁に被照射物の搬送方向外側に向かって遮光用袖部が突設され、紫外線の漏出を防止した、紫外線照射器具本体」に、それぞれ相当する。））。
　
　イ　引用発明の「内部に前記紫外線ランプが挿置されている光源ボックス」は、「前記光源ボックスのインクジェットヘッド側及びその反対側の両側壁の記録紙側先端と、前記インクジェットヘッドのインクを噴射する噴射面とを比較すると、前記光源ボックスの両側壁の前記先端の方が前記インクジェットヘッドの前記噴射面よりも前記記録紙に近くなって」いるが、その両側壁の記録紙側先端と前記記録紙との間に若干の間隙が生じるので、紫外線が照射される前記記録紙などからの反射紫外線の一部が前記若干の間隙から光源ボックス外部に漏出することは当業者に自明である（上記実願昭６１−１４６３９３号（実開昭６３−５３７３４号）のマイクロフィルムの２頁１６行〜３頁１行の記載参照。）。
　しかるところ、引用発明は、「インクとして紫外線硬化型インクを使用し、記録紙にこのインクを噴射付着させた後で、紫外線を照射してこのインクを乾燥定着させるようにして、インクの目づまりを生じないようにし、かつ、印字直後に紙面に手を触れても紙面のインク汚れを生じないようにした」ものであり、かつ、「非印字時には、インク室内の静圧力とノズルにおけるインクの表面張力とによりインクが平衡状態を保ち、前記ノズルにおいてインクが外気と直接にさらされる」ことを前提にしているものであるから、前記ノズルにおいて外気と直接にさらされている紫外線硬化型インクに、前記若干の間隙から光源ボックス外部に漏出した記録紙などからの反射紫外線の一部が入射してしまうと、紫外線硬化型インクが硬化して紫外線硬化型インクによる目づまりを生じてしまうという望ましくない現象が発生する可能性があることは当業者に自明である。
　
　ウ　引用発明において、前記ノズルにおいて外気と直接にさらされている紫外線硬化型インクに、上記若干の間隙（上記イ参照。）から光源ボックス外部に漏出する記録紙などからの反射紫外線の一部が入射してしまい、紫外線硬化型インクが硬化して紫外線硬化型インクによる目づまりを生じてしまわないようにするために、前記光源ボックスの両側壁の前記先端に前記記録紙及び該光学ボックスの相対移動方向の該光学ボックス外側（インクジェットヘッド側の側壁の場合はインクジェットヘッド側）に向かって遮光用袖部を突設することは、上記ア及びイからみて、当業者が周知技術に基づいて容易に想到することができた程度のことである。
　
　エ　引用発明の「光源ボックスのインクジェットヘッド側の側壁の前記先端」は本願発明１の「第一延出部」に相当し、上記ウの「第一延出部（前記光源ボックスのインクジェットヘッド側の側壁の前記先端）に前記記録紙及び該光学ボックスの相対移動方向のインクジェットヘッド側に向かって突設した遮光用袖部」は本願発明１の「前記第一延出部の延出方向に交わる方向であって前記弾道に近づく方向に前記第一延出部から延出する第二延出部」に相当し、引用発明において、前記「第一延出部（光源ボックスのインクジェットヘッド側の側壁の記録紙側先端）」と、前記インクジェットヘッドのインクを噴射する噴射面とを比較すると、前記「第一延出部（光源ボックスのインクジェットヘッド側の側壁の記録紙側先端）」の方が前記インクジェットヘッドの前記噴射面よりも前記記録紙に近くなっていること、及び、上記ウの「第二延出部（遮光用袖部）」が、前記記録紙及び該光学ボックスの相対移動方向のインクジェットヘッド側に向かって、すなわち、ほぼ記録紙と平行に、「第一延出部（前記光源ボックスのインクジェットヘッド側の側壁の前記先端）」に突設したものであることからみて、上記ウの「第二延出部（遮光用袖部）」と本願発明１の「第二延出部」とは「インク滴が吐出される前記ヘッドの面から前記記録媒体側に離れている」点で一致するといえる。
　
　オ　上記アないしエからすると、引用発明において、上記相違点１に係る本願発明１の構成となすことは、当業者が周知技術に基づいて容易になし得た程度のことである。
　
　カ　効果について
　本願発明１の奏する効果は、引用発明の奏する効果及び周知技術の奏する効果から当業者が予測できた程度のものである。
　
（３）まとめ
　以上のとおりであるから、本願発明１は、当業者が引用例に記載された発明及び周知技術に基づいて容易に発明をすることができたものである。
　
５　本願発明２について
（１）本願発明２は、本願発明１の「前記第一延出部の延出方向に交わる方向であって
前記弾道に近づく方向に前記第一延出部から
前記第一延出部から前記ヘッドと前記記録媒体との間の空間へ
　
（２）本願発明２と引用発明とを対比すると、上記（１）及び上記４（１）からみて、本願発明２と引用発明とは、
「活性光線の被照射により硬化するインクを記録媒体に向けて吐出するヘッドと、
　インク吐出時における前記記録媒体に対する前記ヘッドの相対移動方向の後ろ側に配置されるとともに、前記記録媒体に対して前記ヘッドが配置される側に配置され、活性光線を発する活性光線源と、
　前記ヘッドによって吐出されてから前記記録媒体に着弾するまでのインク滴の弾道へ、前記活性光線源から発した活性光線が直接的又は間接的に入射することを遮蔽する遮蔽部材と、を備え、
　前記遮蔽部材は、
　前記活性光線源と前記ヘッドとの間に配置されるとともに、インク滴が吐出される前記ヘッドの面よりも前記記録媒体側に延出した第一延出部を具備しているインクジェットプリンタ。」である点で一致し、次の点で相違する。
　
相違点２：
　前記遮蔽部材が、本願発明２では、「前記第一延出部の延出方向に交わる方向であって前記第一延出部から前記ヘッドと前記記録媒体との間の空間へ延出する第二延出部を具備し、前記第二延出部はインク滴が吐出される前記ヘッドの面から前記記録媒体側に離れている」のに対して、引用発明では、前記第一延出部の延出方向に交わる方向に延出する部分はない点。
　
（３）上記相違点２について判断するに、上記４（２）アないしウのとおりであるから、引用発明の「光源ボックスのインクジェットヘッド側の側壁の前記先端」は本願発明２の「第一延出部」に相当し、引用発明において、前記「第一延出部（光源ボックスのインクジェットヘッド側の側壁の記録紙側先端）」と、前記インクジェットヘッドのインクを噴射する噴射面とを比較すると、前記「第一延出部（光源ボックスのインクジェットヘッド側の側壁の記録紙側先端）」の方が前記インクジェットヘッドの前記噴射面よりも前記記録紙に近くなっていることから、上記４（２）ウの前記「第一延出部（光源ボックスのインクジェットヘッド側の側壁の記録紙側先端）」に前記記録紙及び該光学ボックスの相対移動方向のインクジェットヘッド側に向かって遮光用袖部を突設したとき、その遮光用袖部の突出する方向は、前記インクジェットヘッドの前記噴射面と前記記録媒体との間にある空間になることが明らかである。
　したがって、上記４（２）ウの「『第一延出部（前記光源ボックスのインクジェットヘッド側の側壁の前記先端）』に前記記録紙及び該光学ボックスの相対移動方向のインクジェットヘッド側に向かって突設した遮光用袖部」は、本願発明２の「前記第一延出部の延出方向に交わる方向であって前記第一延出部から前記ヘッドと前記記録媒体との間の空間へ延出する第二延出部」に相当し、上記４（２）ウの「第二延出部（遮光用袖部）」と本願発明２の「第二延出部」とは「インク滴が吐出される前記ヘッドの面から前記記録媒体側に離れている」点で一致するといえる。
　
（４）そうすると、引用発明において、上記相違点２に係る本願発明２の構成となすことは、当業者が周知技術に基づいて容易になし得た程度のことである。
　
（５）本願発明２の奏する効果は、引用発明の奏する効果及び周知技術の奏する効果から当業者が予測できた程度のものである。
　
（６）まとめ
　以上のとおりであるから、本願発明２は、当業者が引用例に記載された発明及び周知技術に基づいて容易に発明をすることができたものである。
　
６　むすび 
　本願発明１及び本願発明２は、当業者が引用例に記載された発明及び周知技術に基づいて容易に発明をすることができたものであるから、特許法第２９条第２項の規定により特許を受けることができない。
　よって、結論のとおり審決する。